(57)【特許請求の範囲】
【請求項１】
サイクリング用途用のヘルメット（１０）であって、
前記ヘルメットは、
外面及び内部空間を有するキャップ構造体（１１）であって、前記外面から当該キャップ構造体の内部空間へ通る複数の通気チャネルが設けられたキャップ構造体（１１）と、
前記通気チャネルに配置され、前記通気チャネルの閉鎖位置と前記通気チャネルを少なくとも部分的に開放するための少なくとも１つの位置との間で前記キャップ構造体（１１）に対して移動可能なセレクタ（１３）と、を含み、前記セレクタ（１３）は、前記通気チャネルにおいて前記キャップ構造体（１１）に一体化された案内フレーム上で移動可能である、ヘルメットにおいて、
前記セレクタ（１３）は、前記キャップ構造体（１１）の外面の座部に収容され、前記通気チャネルの前記閉鎖位置において、前記セレクタは前記キャップ構造体（１１）と面一になり、当該閉鎖位置において前記キャップ構造体と前記セレクタとの間に段差の不連続がない、ことを特徴とする、ヘルメット。
【請求項２】
前記案内フレームは、前記キャップ構造体（１１）に一体成形されることを特徴とする、請求項１に記載のヘルメット。
【請求項３】
前記案内フレームは、前記キャップ構造体（１１）に部分的に埋め込まれ、前記通気チャネルにおいて部分的にアクセス可能であることを特徴とする、請求項１に記載のヘルメット。
【請求項４】
前記案内フレームは、ピン（１８）を受けるための長穴（１５）を含み、前記長穴（１５）は前記セレクタの内側に配置され、前記長穴は当該長穴内に配置された前記ピンを有するように構成されている、ことを特徴とする、請求項３に記載のヘルメット。
【請求項５】
前記ヘルメットがさらに前記ピン（１８）を前記長穴（１５）内に保持するための保持要素（１７）を含むことを特徴とする、請求項４に記載のヘルメット。
【請求項６】
前記セレクタ（１３）は、前記ヘルメットの両側部の前記通気チャネルを同時に開閉するようになっていることを特徴とする、請求項１に記載のヘルメット。
【請求項７】
前記セレクタ（１３）は、前記キャップ構造体（１１）と面一になるように座部内に収容されることを特徴とする、請求項６に記載のヘルメット。
【請求項８】
前記ヘルメットは、前記通気チャネル（１４）と部分的に重なる前部グリッド（１６）をさらに含むことを特徴とする、請求項１に記載のヘルメット。
【請求項９】
前記セレクタ（１３）は、前記前部グリッド（１６）の上方で移動可能であることを特徴とする、請求項８に記載のヘルメット。
【請求項１０】
前記前部グリッド（１６）は前記キャップ構造体から取り外し可能であることを特徴とする、請求項８に記載のヘルメット。
【発明の詳細な説明】
【技術分野】
【０００１】
本発明は、サイクリング用途用の選択的通気ヘルメットに関する。
特定的には、上述の用語「サイクリング用途用の（ｆｏｒ  ｃｙｃｌｉｎｇ  ｕｓｅ）」とは、本発明のヘルメットを、純粋にサイクリングに関するもの以外の、自動車、オートバイ、又は他の分野に用いられるヘルメットと区別することを意図する。
【背景技術】
【０００２】
サイクリングの分野においては、今日、２つの異なる使用を目的とした２つの異なるタイプのヘルメット、すなわち
−「通気式（ｖｅｎｔｅｄ）」ヘルメット、すなわち複数の通気チャネルが設けられたヘルメット、及び
−通気チャネルがない、空気力学的プロファイルにより特徴付けられる「クロノ（ｃｈｒｏｎｏ）」型ヘルメット
がある。
【０００３】
要件に応じて、今日ユーザは、一方及び他方の利点と欠点を認識した上で、一方又は他方のタイプのヘルメットを着用する。
実際に、通気式ヘルメットは、夏にはより優れた快適さを与えるが、前進運動に対する抵抗が大きく、雨からの保護がなされない。
逆に、クロノ型ヘルメットは、そのプロファイルのため、前進運動に対する抵抗はより少ないが、制限された方法でしか、ユーザの頭部の通気を行うことができない。
【０００４】
言い換えれば、今日、ユーザが、使用中に、着用したヘルメットが反対の特徴を有することを望む場合、異なるヘルメットを着用する以外に選択肢がないという事実を認識して、どのタイプのヘルメットを使うかについての予備的な決定を行う。
【０００５】
通気式ヘルメットの例は、特許文献１、特許文献２、特許文献３、特許文献４に記載される。
【０００６】
しかしながら、これらのヘルメットのどれも、「クロノ」型の活動に適したものであり、それと同時に、必要に応じて、ユーザの頭部の通気を管理する可能性をユーザに与えるヘルメットを作成するという問題に対する解決法を提供するものでも、提案するものでもない。
【０００７】
特に、特許文献１、特許文献２、特許文献３、特許文献４に記載されるヘルメットは、開口部を開閉するセレクタが開口部自体と同一平面上に配置されておらず、従って、かなりの空気力学的抵抗を生み出すため、「クロノ」型の活動には適していない。
【０００８】
こうした従来技術から、本発明の目的は、周知のものとは異なり、特に効率的であり、典型的な通気式ヘルメットの特性又はクロノ型ヘルメットの特性を選択的に有することができる、サイクリング用途用の選択的通気ヘルメットを作ることである。
【先行技術文献】
【特許文献】
【０００９】
【特許文献１】米国特許第２００７１３６９３２号明細書
【特許文献２】日本国特開２００５−６８５８２号明細書
【特許文献３】国際公開第２００７０４１６５６号
【特許文献４】独国公開特許第４００９０３６号明細書
【発明の概要】
【００１０】
本出願の一般的な発明の原理によると、このような目的は、通気のための貫通チャネルを生じさせる複数の細隙部（ｓｐｌｉｔ）が設けられたキャップ構造体と、細隙部に配置され、通気チャネルが閉鎖された１つの位置と通気チャネルを少なくとも部分的に開放するための少なくとも１つの位置との間で移動可能なセレクタとを提供することによって達成される。
【００１１】
セレクタは、ヘルメットの外部に配置され、セレクタが開口部を閉鎖すると、構造体の残りの部分と完全に同一平面上になり、空気力学的チクロ型ヘルメットになる。
特定的には、セレクタは、細隙部においてキャップ構造体に一体化される案内手段上で移動可能である。案内手段は、ヘルメット自体の内部に一体成形される。
【００１２】
このように、セレクタが閉鎖位置にあるとき、ヘルメットは、今日市場で周知のチクロ型ヘルメットと同じ空気力学的特性を有し、セレクタが開放位置にあるとき、ヘルメットは、今日市場で周知の通気式ヘルメットと同じ特性を有する。
【００１３】
１つの構成から他の構成への変形は、ユーザの簡単な手動操作によって行うことができる。
さらに、本発明の特徴は、従属請求項から明らかになる。
【００１４】
本発明によるサイクリング用途用の選択的通気ヘルメットの特徴及び利点は、添付の概略的図面を参照して、限定のためではなく一例として与えられる以下の説明からより明らかになるであろう。
【図面の簡単な説明】
【００１５】
【図１】本発明によるヘルメットの一実施形態を示す。
【図２】図１のヘルメットの分解図を示す。
【図３】図１のヘルメットの幾つかの要素を示す。
【図４】図１のヘルメットの異なる使用を示す。
【図５】図１のヘルメットの異なる使用を示す。
【図６】図１のヘルメットの異なる使用を示す。
【図７】本発明によるヘルメットの第２の実施形態を示す。
【発明を実施するための形態】
【００１６】
図を参照すると、参照番号１０は、本発明によるサイクリング用途用の選択的通気ヘルメットを示す。
こうしたヘルメットは、サイクリング用途用であり、
−今日使用されているクロノ型ヘルメットのような空気力学的方法で成形され、ヘルメット１０の内部から外部に通る通気チャネルを作成する複数の細隙部１４が設けられたキャップ構造体１１と、
−通気チャネルが閉鎖された１つの位置と通気チャネルを少なくとも部分的に開放するための少なくとも１つの位置との間でキャップ構造体１１に対して移動可能な、細隙部１４に配置されたセレクタ１３と、
を含むタイプのものである。
特定的には、本発明によると、セレクタ１３は、細隙部１４においてキャップ構造体１１に一体化される案内手段１２上で移動可能である。
【００１７】
ここで構造的な詳細に入ると、案内手段１２は、直接、キャップ構造体１１内に一体成形され、キャップ１１内に部分的に埋め込まれ、開口部１４において部分的にアクセス可能なフレームを含む。
案内手段は、セレクタ１３の内部に配置されたピン１８を受けるための長穴（ｓｌｏｔｔｅｄ  ｈｏｌｅ）１５を含むことが好ましい。
保持要素１７は、ピン１８を長穴１５内に保持し、セレクタ１３の移動を可能にするために提供される。
【００１８】
セレクタをフレームに接続する保持システム１７又はねじに加えて、歯フック（ｔｅｅｔｈ  ｈｏｏｋｉｎｇ）を提供することも可能であり、この歯は、セレクタ上に得られ、対応する軌道に接続する。要素又はねじ及び歯を保持する２つのフック・システムは、互いに別々に、しかし同時に使用することもできる。
【００１９】
図示される例によれば、セレクタ１３は、ヘルメット１０の両側のチャネル１４を同時に開閉するようにＵ字形状である。
当然、セレクタは、本発明の目的のために動作するいずれの他の形状のものにしてもよい。空気力学的となることができるように、セレクタ１３は、キャップ１１と同一平面上になるように、該キャップ１１の座部内に収容される。
【００２０】
このように、閉鎖状態において、ヘルメットは、キャップと閉鎖したセレクタとの間を通る際に段差の不連続がない、完全に空気力学的な外部プロファイルを有する。
ヘルメットが通気式に使用されるとき、チャネル１４の前部に部分的に重ねるための前部グリッド１６が存在してもよい。
【００２１】
グリッドは、選択的に取り外し可能にすることも又は固定することも可能であり、固定される場合、セレクタ１３は、グリッド１６自体の上方で移動可能であることが好ましい。
従って、本発明によるサイクリング用途用の選択的通気を有するヘルメットが、前記の目的を達成することが分かった。
【００２２】
非常に簡潔に言うと、実際に、次の利点を認識することが可能である。
−ユーザは、典型的なサイクリング用ヘルメット、従って、通気式ヘルメットを得ることができ、そして、簡単なジェスチャで、該ヘルメットを、閉鎖された空気力学的クロノ型ヘルメットに変換し、その性能を高めることを可能にできる。
−単一の製品を冬にも（これを閉鎖する）及び夏にも（これを開放する）、晴雨にかかわらず、同じく簡単なスイッチ・ジェスチャで使用することができ、ヘルメットが閉鎖されたときに、水が内部に染み込むことはない。
−製品を開放状態又は閉鎖状態で使用できることに加えて、セレクタの段階的移動により、空気流の量を調整する中間ステップも存在する。
−前部通気孔において、プラスチック製の、又は布若しくは金属などの他の材料製の虫よけ用グリッドを付加することが可能である。
【００２３】
このように考えられた本発明のサイクリング用途用の選択的通気ヘルメットに、全て同じ発明概念により網羅される多数の修正及び変更を行い、全ての詳細を技術的に同等の要素に置き換えることができる。実際に、使用される材料、並びにその寸法は、技術的要件に従ったいずれのタイプのものにしてもよい。
【符号の説明】
【００２４】
１０：ヘルメット
１１：キャップ（構造体）
１２：案内手段
１３：セレクタ
１４：細隙部
１５：長穴
１６：グリッド
１７：保持要素
１８：ピン
【図１】
0006427175.tif 000002
【図２】
0006427175.tif 000003
【図３】
0006427175.tif 000004
【図４】
0006427175.tif 000005
【図５】
0006427175.tif 000006
【図６】
0006427175.tif 000007
【図７】
0006427175.tif 000008